【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
磁気共振(ＭＲ)システムのスキャナに晒された患者の状態を示す生理学的データを無線で通信するシステムであって、
(a) 患者から前記生理学的データを得るセンサ機構と、
(b) センサ機構に接続されて、センサ機構から受信した生理学的データを光学フォーマットから電気的フォーマットに変換する第１の変換器回路と、
(c) 第１の変換器回路に接続されて、該第１の変換器回路から受信した生理学的データを送信する第１のＲＦトランシーバ回路と、
(d) 第１のＲＦトランシーバ回路から離れて、第１のＲＦトランシーバ回路によって送信された生理学的データを受信する第２のＲＦトランシーバ回路と、
(e) 第２のＲＦトランシーバ回路に接続されて、第２のＲＦトランシーバ回路から受信した生理学的データを電気的フォーマットから光学フォーマットに変換し、センサ機構から離れた装置に生理学的データを搬送する第２の変換器回路とを具え、
第１及び第２のＲＦトランシーバ回路を介したセンサ機構と装置との間の通信は、ＭＲシステムの動作に悪影響を与えず、又は悪影響が与えられることなく達成されるシステム。
【請求項２】
第１のＲＦトランシーバ回路は、
(a) 第１の変換器回路からの生理学的データがその中に受信される入力と、生理学的データがラジオ周波数(ＲＦ)フォーマットでそこから送信される出力を有するＲＦトランシーバモジュールと、
(b) ＲＦトランシーバモジュールの出力に接続されて、生理学的データを通過させるが、
生理学的データを搬送する周波数の外側にある周波数を有効に減衰させるフィルタと、
(c) フィルタに接続されて、フィルタから受信した生理学的データを放射するアンテナを有する、請求項１に記載のシステム。
【請求項３】
フィルタは、バンドパスフィルタ、ハイパスフィルタ、及びノッチフィルタの１つである、請求項２に記載のシステム。
【請求項４】
第２のＲＦトランシーバ回路は、
(a) 第１のＲＦトランシーバ回路によって送信された生理学的データを受信するアンテナと、
(b) アンテナに接続されて、生理学的データを通過させるが、
生理学的データを搬送する周波数の外側にある周波数を有効に減衰させるフィルタと、
(c) フィルタからの生理学的データがその中に受信される入力と、そこから生理学的データが第２の変換器回路に搬送される出力を具えるＲＦトランシーバモジュールを有する
、請求項１に記載のシステム。
【請求項５】
フィルタは、バンドパスフィルタ、ハイパスフィルタ、及びノッチフィルタの１つである、請求項４に記載のシステム。
【請求項６】
第２の変換器回路は、
(a) 第２のＲＦトランシーバ回路の出力に接続された入力を有する駆動回路と、
(b) 駆動回路の出力に接続されて、駆動回路から受信した生理学的データを電気的フォーマットから光学フォーマットに変換し、生理学的データをセンサ機構から離れた装置に搬送する電気―光学変換器を具える、請求項１に記載のシステム。
【請求項７】
センサ機構は、生理学的データを心臓信号の形で得る心電図(ＥＣＧ)モジュールである、請求項１に記載のシステム。
【請求項８】
電磁気ノイズが多い環境下でデータを無線で通信するシステムであって、
(a) 二手に分かれたシステムの第１の装置に接続されて、第１の装置から受信したデータを光学フォーマットから電気的フォーマットに変換する第１の変換器回路と、
(b) 第１の変換器に接続されて、第１の変換器から受信したデータを送信する第１のＲＦトランシーバ回路と、
(c) 第１のＲＦトランシーバ回路から離れて、第１のＲＦトランシーバ回路によって送信されたデータを受信する第２のＲＦトランシーバ回路と、
(d) 第２のＲＦトランシーバ回路に接続されて、第２のＲＦトランシーバ回路から受信したデータを電気的フォーマットから光学フォーマットに変換し、二手に分かれたシステムの第２の装置にデータを搬送する第２の変換器回路とを具え、
第１及び第２のＲＦトランシーバに用いられる通信スキームによって、第１及び第２の装置は、環境内のノイズに悪影響を及ぼされずに、通信することができるシステム。
【請求項９】
二手に分かれたシステムの第１の装置は、心電図(ＥＣＧ)モジュールを有して、患者から心臓信号の形でデータを得る、請求項８に記載のシステム。
【請求項１０】
二手に分かれたシステムの第１の装置は、センサを有して、それによって得たデータは患者の状態を示す、請求項８に記載のシステム。
【請求項１１】
二手に分かれたシステムの第２の装置は、第２及び第１のＲＦトランシーバ回路を介して第１の装置と通信可能な監視装置を有する、請求項８に記載のシステム。
【請求項１２】
磁気共振(ＭＲ)スイート内にてデータを無線で通信するシステムであって、
(a) センサモジュールに接続されて、センサモジュールから受信したデータを送信し、送信されてきたデータをセンサモジュールに搬送する第１のトランシーバ回路と、
(b) 監視装置に接続されて、第１のトランシーバ回路から受信したデータを監視装置に搬送し、監視装置から受信したデータを第１のトランシーバ回路に送信する第２のトランシーバ回路を具え、
第１及び第２のトランシーバ回路は、ＭＲスイート内に位置する設備の動作範囲の外側の所定周波数を用いて、ＭＲスイートの設備の動作に悪影響を与えることなく、通信するシステム。
【請求項１３】
第１のトランシーバ回路は、
(a) センサモジュールからのデータが搬送される入力と、データがラジオ周波数(ＲＦ)フォーマットにて送信される出力を有するトランシーバモジュールと、
(b) トランシーバモジュールの出力に接続されて、データを通過させるが、生理学的データを搬送する周波数の外側にある周波数を有効に減衰させるフィルタと、
(c) フィルタに接続されて、フィルタから受信したデータを放射するアンテナを具えた、請求項１２に記載のシステム。
【請求項１４】
第２のトランシーバ回路は、
(a) 第１のＲＦトランシーバ回路によってラジオ周波数(ＲＦ)フォーマットで送信されたデータを受信するアンテナと、
(b) アンテナに接続されて、データを通過させるが、データを搬送する周波数の外側にある周波数を有効に減衰させるフィルタと、
(c) フィルタからのデータがその中に受信される入力と、そこから生理学的データが監視装置に搬送される出力を具えるトランシーバモジュールを有する、請求項１２に記載のシステム。
【請求項１５】
センサモジュールによって第１のトランシーバ回路に搬送されるデータは、
(i) 患者の状態を示す生理学的信号、及び
(ii) センサモジュールの状態を示す作動信号の少なくとも１つを含む、請求項１２に記載のシステム。
【請求項１６】
監視装置によって第２のトランシーバ回路に搬送されるデータは、センサモジュールに命じて、多数のリードリードセットから生理学的信号を取り出す適当なリードを選択する制御信号を含む、請求項１５に記載のシステム。
【請求項１７】
センサモジュールによって第１のトランシーバ回路に搬送されるデータは、
(i) 心臓の状態を示す心臓信号、及び
(ii) センサモジュールの状態を示す作動信号の少なくとも１つを含む、請求項１２に記載のシステム。
【請求項１８】
監視装置によって第２のトランシーバ回路に搬送されるデータは、センサモジュールに命じて、多数のリードリードセットから心臓信号を引き出す適切なリードを選択する制御信号を含む、請求項１７に記載のシステム。
【請求項１９】
画像スキャナ内に位置する患者に取り付けられたセンサモジュールから得られたデータを無線で通信するシステムであって、
(a) センサモジュールに繋がって、センサモジュールから受信したデータを送信する第１のトランシーバと、
(b) 第１のトランシーバから離れた装置に接続されて、第１のトランシーバから受信したデータを装置に搬送する第２のトランシーバとを具え、
第１及び第２のトランシーバによって、センサモジュールと装置は、画像スキャナの動作に悪影響を及ぼされず、又は悪影響を及ぼさずに通信することができるシステム。
【請求項２０】
更に、センサモジュールと第１のトランシーバとの間に第１の変換器回路を有して、該第１の変換器回路はセンサモジュールから光学フォーマットで受信したデータを、第１のトランシーバが用いる電気的フォーマットに変換する、請求項１９に記載のシステム。
【請求項２１】
更に、第１のトランシーバと装置との間に、第２の変換器回路を有して、該第２の変換器回路は第２のトランシーバから電気的フォーマットで受信したデータを、装置が利用可能なフォーマットに変換する、請求項１９に記載のシステム。
【請求項２２】
センサモジュールは、心電図(ＥＣＧ)モジュールを有して、心臓信号の形でデータを得る、請求項１９に記載のシステム。
【請求項２３】
磁気共振(ＭＲ)システムのスキャナに晒された患者の状態を少なくとも示すデータを無線で通信する方法であって、
(a) 患者に取り付けられたセンサからデータを得る工程と、
(b) 患者から得られたデータを光学フォーマットから電気的フォーマットに変換する工程と、
(c) 電気的フォーマットで受信したデータをラジオ周波数(ＲＦ)フォーマットで送信する工程と、
(d) 送信工程で送信されたデータを受信する工程と、
(e) 受信工程で受信したデータを電気的フォーマットから光学フォーマットに変換する工程と、
(f) データを患者から離れた装置に搬送する工程を具え、
データの通信は、ＭＲシステムの動作に悪影響を及ぼされず、又は悪影響を及ぼさずに達成される方法。
【請求項２４】
データを得る工程は、心電図(ＥＣＧ)モジュールを用いて、心臓信号の形でデータを得る、請求項２３に記載の方法。
【請求項２５】
画像スイートにてデータを無線で通信する方法であって、
(a) センサに接続された第１のトランシーバを配備して、センサから受信したデータを送信し、第１のトランシーバに送信されたデータをセンサに搬送する工程と、
(b) 第１のトランシーバから離れた装置に接続された第２のトランシーバを配備して、第１のトランシーバから受信したデータを装置に搬送し、装置から受信したデータを第１のトランシーバに送信する工程とを具え、
第１と第２のトランシーバは、画像スイート内の装置の動作によって悪影響が与えられることなく、又は悪影響を与えることなく、通信する方法。
【請求項２６】
更に、センサと第１のトランシーバ間に第１の変換器回路を配備して、(i)センサから光学フォーマットで受信したデータを第１のトランシーバによって用いられる電気的フォーマットに変換し、且つ(ii)第１のトランシーバから電気的フォーマットで受信したデータをセンサによって用いられる光学フォーマットに変換する工程を具える、請求項２５に記載の方法。
【請求項２７】
更に、第２のトランシーバと装置間に第２の変換器回路を配備して、(i)第２のトランシーバから電気的フォーマットで受信したデータを装置によって利用可能なフォーマットに変換し、且つ(ii)装置から光学フォーマットで受信したデータを第２のトランシーバによって用いられる電気的フォーマットに変換する工程を具える、請求項２５に記載の方法。
、請求項２５に記載の方法。
【請求項２８】
センサは、心電図(ＥＣＧ)モジュールを用いて、心臓信号の形でデータを得る、請求項２５に記載の方法。
【請求項２９】
ノイズが多い環境下に位置する患者から得られた心電図(ＥＣＧ)信号を無線で通信する通信モジュールであって、
(a) 生体電気的信号のセンサに繋がって、生体電気的信号の搬送周波数の外側にある周波数を生体電気的信号から除去する少なくとも１つのＲＦフィルタと、
(b) 制御信号に反応して、多数のリードリードセットから生体電気的信号を取り出す適当なリードを選択するネットワークと、
(c) ネットワークを介して選択された生体電気的信号から、ＥＣＧ信号を引き出す差動アンプと、
(d) 差動アンプから受信したＥＣＧ信号を増幅するアンプ回路と、
(e) アンプ回路から受信したＥＣＧ信号の状態を改善する信号処理回路と、
(f) 信号処理回路から受信したＥＣＧ信号に従って、搬送信号をデジタル的に変調し、その上、変調信号を形成する変調回路と、
(g) 変調回路に接続されて、変調回路から受信した変調信号を送信する送信回路と、
(h) 送信回路に接続されて、変調信号を通し、且つ変調信号の外側にある周波数を有効に減衰するフィルタ回路を具えた通信モジュール。
【請求項３０】
送信回路は、電磁波帯域の周波数で変調された信号を送信する、請求項２９に記載の通信モジュール。
【請求項３１】
更に、
(a) フィルタ回路に繋がって、アンテナによって離れた装置から取り出される制御信号の振幅を制限するリミッタ回路と、
(b) リミッタ回路に接続されて、制御信号を受信する受信器回路と、
(c) ＥＣＧ信号を(i)通信モジュールが利用可能な電力量、及び(ii)多数のリードリードセットのどのリードからＥＣＧ信号が引き出されるかの少なくとも１つに関する情報に符号化する符号化回路を具える、請求項２９に記載の通信モジュール。
【請求項３２】
更に、通信モジュールと、通信モジュールが通信する離れた装置間の通信の完全な状態を確実にする手段を具える、請求項２９に記載の通信モジュール。
【請求項３３】
ノイズが多い環境下に位置する患者から得られた生理学的信号を無線で通信する通信モジュールであって、
(a) 生体電気的信号のセンサに繋がって、センサから受信された生理学的信号をモジュールの使用に適合させる入力調整回路と、
(b) 入力調整回路から受信される生理学的信号の状態を改善する信号処理回路と、
(c) 信号処理回路から受信された生理学的信号を、対応するデジタル信号に変換する変換回路と、
(d) 変換回路に接続されて、変換回路から受信したデジタル信号を送信する送信回路と、
(e) 送信回路に接続されて、デジタル信号の外側の周波数を有効に減衰させるフィルタ回路を具えた通信モジュール。
【請求項３４】
変換回路は、信号処理回路から受信した生理学的信号に従って、搬送信号をデジタル的に変調し、その上、デジタル信号を形成する変調器を含む、請求項３３に記載の通信モジュール。
【請求項３５】
送信回路は、電磁波帯域の周波数でデジタル信号を送信する、請求項３３に記載の通信モジュール。
【請求項３６】
更に、
(a) フィルタ回路に繋がって、アンテナによって離れた装置から取り出される制御信号の振幅を制限するリミッタ回路と、
(b) リミッタ回路に接続されて、制御信号を受信する受信器回路と、
(c) 離れた装置から受信した制御信号に従って、通信モジュールの動作を制御する制御回路を具える、請求項３３に記載の通信モジュール。
【請求項３７】
制御回路は、生理学的信号を、少なくとも通信モジュールが利用可能な電力量に関する情報に符号化することができる、請求項３３に記載の通信モジュール。
【請求項３８】
更に、通信モジュールと、通信モジュールが通信する離れた装置間の通信の完全な状態を確実にする手段を具える、請求項３３に記載の通信モジュール。
【請求項３９】
磁気共振(ＭＲ)スイート内の生理学的データを無線で通信するシステムであって、
(a) 患者に取付け可能で、ＭＲスキャナ内に位置決め可能で、患者からの生理学的データを受信するセンサモジュールであって、該生理学的データをデジタル化して送信する第１の送受信回路を含むセンサモジュールと、
(b) 遠隔装置に接続されて、第１の送受信回路から受信された生理学的データを遠隔装置に伝達する第２の送受信回路とを具え、
センサモジュールと遠隔装置は、ＭＲスキャナの動作によって影響を及ぼされず、又は影響を及ぼすことなく、多数の周波数の少なくとも１つを用いて第１及び第２の送受信回路を介して、無線で通信するシステム。
【請求項４０】
第１及び第２の送受信回路を介したセンサモジュールと遠隔装置間の通信は、双方向で生じる、請求項３９に記載のシステム。
【請求項４１】
生理学的データは、患者の血液の酸素飽和度を含む、請求項３９に記載のシステム。
【請求項４２】
生理学的データは、患者の呼吸を含む、請求項３９に記載のシステム。
【請求項４３】
生理学的データは、患者の体温を含む、請求項３９に記載のシステム。
【請求項４４】
生理学的データは、患者の心電信号を含む、請求項３９に記載のシステム。
【請求項４５】
生理学的データは、患者の血圧を含む、請求項３９に記載のシステム。
【請求項４６】
生理学的データは、患者の心拍を含む、請求項３９に記載のシステム。
【請求項４７】
生理学的データは、患者の脳波信号を含む、請求項３９に記載のシステム。
【請求項４８】
生理学的データは、患者の眼電信号を含む、請求項３９に記載のシステム。
【請求項４９】
生理学的データは、患者の筋電信号を含む、請求項３９に記載のシステム。
【請求項５０】
遠隔装置は、監視装置を含む、請求項３９に記載のシステム。
【請求項５１】
遠隔装置は、ＭＲスキャナを含む、請求項３９に記載のシステム。
【請求項５２】
電気ノイズ又は磁気ノイズの少なくとも一方が多い環境下で用いられる無線患者センサモジュールであって、
(a) ノイズの多い環境近傍又は環境内に位置する患者から生理学的な信号を感知することができる少なくとも１つのセンサ回路と、
(b) 該少なくとも１つのセンサ回路に繋がって、センサ回路から生理学的信号を受信し、第２のトランシーバ回路を有する遠隔装置によって用いられる生理学的な信号をデジタル信号として送信する第１のトランシーバ回路とを具え、
無線患者センサモジュールは、複数の周波数の少なくとも１つを用いる第１及び第２のトランシーバを介して、ノイズの多い環境によって悪影響を及ぼされることなく、遠隔装置と無線で通信することができる無線患者センサモジュール。
【請求項５３】
ノイズの多い環境は、磁気共振(ＭＲ)スキャナであって、該スキャナから無線患者センサモジュールは、複数の周波数の少なくとも１つを用いる第１及び第２のトランシーバを介して、ＭＲスキャナによって悪影響を及ぼされることなく、遠隔装置と無線で通信することができる、請求項５２に記載の無線患者センサモジュール。
【請求項５４】
少なくとも１つのセンサ回路によって感知されることができる生理学的な信号は、血液の酸素飽和度、呼吸、温度、心電図信号、血圧、心拍数、脳波図信号、眼電図信号、及び筋電図信号を含む、請求項５２に記載の無線患者センサモジュール。
【請求項５５】
第１及び第２のトランシーバを介した、無線患者センサモジュールと遠隔装置の通信は、双方向で生じる、請求項５２に記載の無線患者センサモジュール。
【請求項５６】
無線患者センサモジュールと遠隔装置は、ＩＳＭ帯域周波数を用いて無線で通信する、請求項５２に記載の無線患者センサモジュール。